(57)【要約】【課題】従来型の再生装置が記憶媒体上に記憶されている動画像ファイルを再生する際に、記憶媒体上に記憶されている動画像ファイルの動画像がインターレース方式ではなく、プログレッシブ方式であったとしても適切に対処できるように動画像ファイルを記録する記録装置を提供する。【解決手段】記録装置は、動画像データおよび管理情報を取得する取得部と、管理情報を参照して、動画像データが所定のプログレッシブ方式か、所定のプログレッシブ方式以外の方式かを判定するコントローラーと、判定結果に応じて、動画像データを記録媒体上の異なるフォルダに記録する記録部とを備えている。【選択図】図３
2011071970.tif 000002
【特許請求の範囲】
【請求項１】
動画像データおよび管理情報を取得する取得部と、
前記管理情報を参照して、前記動画像データが所定のプログレッシブ方式か、前記所定のプログレッシブ方式以外の方式かを判定するコントローラーと、
判定結果に応じて、前記動画像データを記録媒体上の異なるフォルダに記録する記録部と
を備えた、記録装置。
【請求項２】
前記所定のプログレッシブ方式は、６０フレーム／秒のプログレッシブ方式である、請求項１に記載の記録装置。
【請求項３】
前記所定のプログレッシブ方式以外の方式は、インターレース方式、および、２４フレーム／秒のプログレッシブ方式を含んでおり、
前記管理情報は、フレームレートおよび走査方式を示す情報を含む、請求項１または請求項２に記載の記録装置。
【請求項４】
前記動画像データが前記所定のプログレッシブ方式であることを前記判定結果が示すときは、前記記録部は、前記所定のプログレッシブ方式の動画像データのみが記録されるフォルダに前記動画データを記録する、請求項３に記載の記録装置。
【請求項５】
被写体を撮像し、前記被写体の画像信号を出力する撮像部と、
前記画像信号に基づいて動画像データを生成する画像処理部と
をさらに備え、前記画像処理部は、プログレッシブ方式の動画像データ、および、インターレース方式の動画像データの一方を生成する、請求項１に記載の記録装置。
【請求項６】
前記画像処理部は、プログレッシブ方式およびインターレース方式にかかわらず、同じ解像度の動画像データを生成する、請求項５に記載の記録装置。
【請求項７】
前記画像処理部は、１９２０×１０８０画素の解像度の動画像データを生成する、請求項６に記載の記録装置。
【請求項８】
動画像データと管理情報とを取得する取得部と、
少なくとも１つのフォーマットを示す情報が記載されたテーブルを保持し、前記管理情報および前記テーブルを参照して、前記動画像データのフォーマットが前記テーブルに記載された前記少なくとも１つのフォーマットに該当するか否かを判定するコントローラと、
判定結果に応じて、前記動画像データを記録媒体上の異なるフォルダに記録する記録部と
を備えた、記録装置。
【請求項９】
記録媒体に記録された動画像データを再生する再生装置であって、
前記記録媒体には、所定のプログレッシブ方式の第１動画像データが格納された第１フォルダと、前記所定のプログレッシブ方式以外の方式の第２動画像データが格納された第２フォルダとが設けられており、
前記第１フォルダから前記第１動画像データを読み出し、前記第２フォルダから前記第２動画像データを読み出す取得部と、
取得された前記第１動画像データおよび前記第２動画像データを選択可能に表示するコントローラーと、
使用者から、前記第１動画像データおよび前記第２動画像データの一方を選択する指示を受け付ける操作部と
を備え、前記コントローラーは、前記操作部を介して選択された前記第１動画像データおよび前記第２動画像データの一方を再生する、再生装置。
【請求項１０】
前記第１動画像データが選択されたときは、前記コントローラーは、前記取得部に前記第１フォルダを参照させて前記第１動画像データを読み出させ、読み出された前記第１動画像データを再生し、
前記第２動画像データが選択されたときは、前記コントローラーは、前記取得部に前記第２フォルダを参照させて前記第２動画像データを読み出させ、読み出された前記第２動画像データを再生する、請求項９に記載の再生装置。
【請求項１１】
記録装置のコンピュータによって実行されるコンピュータプログラムであって、
前記コンピュータプログラムは、前記コンピュータに対し、
動画像データおよび管理情報を取得するステップと、
前記管理情報を参照して、前記動画像データが所定のプログレッシブ方式か、前記所定のプログレッシブ方式以外の方式かを判定するステップと、
判定結果に応じて、前記動画像データを記録媒体上の異なるフォルダに記録するステップと
を実行させる、コンピュータプログラム。
【発明の詳細な説明】
【技術分野】
【０００１】
本発明は記録装置に関する。より具体的には、本発明は動画像を記録する記録装置に関する。
【背景技術】
【０００２】
特許文献１は、プログレッシブ方式の画像信号及びインターレース方式の画像信号を出力できる画像信号出力装置を開示する。当該画像信号出力装置のイメージセンサーは、プログレッシブ方式の画像信号を出力する。画像信号出力装置は、カメラ内で所定の信号処理を行った後に、得られた画像信号をプログレッシブ方式からインターレース方式に変換する。
【０００３】
これにより、画像信号出力装置は、プログレッシブ方式の画像信号に基づいてインターレース方式の画像信号を生成し、出力できる。また、画像信号出力装置は、プログレッシブ方式の画像信号をそのまま出力することもできる。
【先行技術文献】
【特許文献】
【０００４】
【特許文献１】特開２００８−５４２２１号公報
【発明の概要】
【発明が解決しようとする課題】
【０００５】
いま、この画像信号出力装置により出力された画像信号を記録媒体に記録し、記録されている動画像ファイルを従来型の再生装置（例えばＢＤプレーヤ、ＤＶＤプレーヤ、再生機能を有するＢＤレコーダ／ＤＶＤレコーダ）で再生することを考える。
【０００６】
このとき、従来型の再生装置は、インターレース方式の動画像ファイルを再生することはできるがプログレッシブ方式の動画像ファイルを再生することはできない、という問題がある。その理由は、これまでプログレッシブ方式の動画像ファイルを再生するための規格が存在していなかったためである。たとえば、解像度（画素数）が１９２０×１０８０であって、６０（フレーム／秒）のプログレッシブ方式の動画像ファイルの再生方法は、ＤＶＤ規格やＢＤ規格では規定されていない。従って、解像度が１９２０×１０８０であって６０（フレーム／秒）のプログレッシブ方式の動画像ファイルを、そのような動画像ファイルの再生に対応していない再生装置で再生しようとしても、録画されたとおりの映像が適切に出力されることはない。
【０００７】
むしろ、再生装置は想定外の動作をする。例えば、再生装置は、再生処理中に映像のフリーズを頻発するおそれがある。また、再生装置によっては、エラーが発生して「再生できません」と表示する場合も考えられる。
【０００８】
プログレッシブ方式の動画像ファイルを再生するための規格が存在していなかった理由は、たとえば、（１）インターレース方式で映像を表示するテレビを前提として録画機器が普及したため、録画機器がプログレッシブ方式をサポートする必要に乏しかったこと、（２）そのような方式で画像信号を出力するイメージセンサーおよびそのような画像信号を出力する民生機器が存在していなかったこと、および、（３）プログレッシブ方式の動画像ファイルの再生処理はこれまでにない処理が多く、高負荷であり、そのようなハードウェアを実装するにはコストの問題の影響が大きいことが挙げられる。これまでは、プログレッシブ方式の動画像ファイルをサポートすることは産業上特に必要とされていなかったが、今後は上記特許文献１に記載の画像信号出力装置などが登場することにより、従来の再生装置で問題が生じないよう記録方法を配慮する必要がある。
【０００９】
なお、上述の三番目のハードウェア上の制約を考慮すると、単にファームウェアをアップデートすることによって従来型の再生装置でプログレッシブ方式をサポートすることはできない。よって、プログレッシブ方式の画像信号を記録媒体に記録する際には、その方式をサポートしない再生装置が存在することを考慮する必要がある。
【００１０】
本発明は上記課題に鑑みてなされたものであって、その目的は、従来型の再生装置が記憶媒体上に記憶されている動画像ファイルを再生する際に、記憶媒体上に記憶されている動画像ファイルの動画像がインターレース方式ではなく、プログレッシブ方式であったとしても適切に対処できるように動画像ファイルを記録する記録装置を提供することにある。
【課題を解決するための手段】
【００１１】
本発明による記録装置は、動画像データおよび管理情報を取得する取得部と、前記管理情報を参照して、前記動画像データが所定のプログレッシブ方式か、前記所定のプログレッシブ方式以外の方式かを判定するコントローラーと、判定結果に応じて、前記動画像データを記録媒体上の異なるフォルダに記録する記録部とを備えている。
【００１２】
前記所定のプログレッシブ方式は、６０フレーム／秒のプログレッシブ方式であってもよい。
【００１３】
前記所定のプログレッシブ方式以外の方式は、インターレース方式、および、２４フレーム／秒のプログレッシブ方式を含んでおり、前記管理情報は、フレームレートおよび走査方式を示す情報を含んでもよい。
【００１４】
前記動画像データが前記所定のプログレッシブ方式であることを前記判定結果が示すときは、前記記録部は、前記所定のプログレッシブ方式の動画像データのみが記録されるフォルダに前記動画データを記録してもよい。
【００１５】
前記記録装置は、被写体を撮像し、前記被写体の画像信号を出力する撮像部と、前記画像信号に基づいて動画像データを生成する画像処理部とをさらに備え、前記画像処理部は、プログレッシブ方式の動画像データ、および、インターレース方式の動画像データの一方を生成してもよい。
【００１６】
前記画像処理部は、プログレッシブ方式およびインターレース方式にかかわらず、同じ解像度の動画像データを生成してもよい。
【００１７】
前記画像処理部は、１９２０×１０８０画素の解像度の動画像データを生成してもよい。
【００１８】
本発明による他の記録装置は、動画像データと管理情報とを取得する取得部と、少なくとも１つのフォーマットを示す情報が記載されたテーブルを保持し、前記管理情報および前記テーブルを参照して、前記動画像データのフォーマットが前記テーブルに記載された前記少なくとも１つのフォーマットに該当するか否かを判定するコントローラと、判定結果に応じて、前記動画像データを記録媒体上の異なるフォルダに記録する記録部とを備えている。
【００１９】
本発明による再生装置は、記録媒体に記録された動画像データを再生する再生装置であって、前記記録媒体には、所定のプログレッシブ方式の第１動画像データが格納された第１フォルダと、前記所定のプログレッシブ方式以外の方式の第２動画像データが格納された第２フォルダとが設けられており、前記第１フォルダから前記第１動画像データを読み出し、前記第２フォルダから前記第２動画像データを読み出す取得部と、取得された前記第１動画像データおよび前記第２動画像データを選択可能に表示するコントローラーと、使用者から、前記第１動画像データおよび前記第２動画像データの一方を選択する指示を受け付ける操作部とを備え、前記コントローラーは、前記操作部を介して選択された前記第１動画像データおよび前記第２動画像データの一方を再生する。
【００２０】
前記第１動画像データが選択されたときは、前記コントローラーは、前記取得部に前記第１フォルダを参照させて前記第１動画像データを読み出させ、読み出された前記第１動画像データを再生し、前記第２動画像データが選択されたときは、前記コントローラーは、前記取得部に前記第２フォルダを参照させて前記第２動画像データを読み出させ、読み出された前記第２動画像データを再生してもよい。
【００２１】
本発明によるコンピュータプログラムは、記録装置のコンピュータによって実行されるコンピュータプログラムであって、前記コンピュータプログラムは、前記コンピュータに対し、動画像データおよび管理情報を取得するステップと、前記管理情報を参照して、前記動画像データが所定のプログレッシブ方式か、前記所定のプログレッシブ方式以外の方式かを判定するステップと、判定結果に応じて、前記動画像データを記録媒体上の異なるフォルダに記録するステップとを実行させる。
【発明の効果】
【００２２】
本発明の記録装置は、動画像データが所定のプログレッシブ方式か、前記所定のプログレッシブ方式以外の方式かを判定するコントローラーと、判定結果に応じて、前記動画像データを記録媒体上の異なるフォルダに記録する記録部とを備えている。この記録媒体が従来型の再生装置に装填されたとき、プログレッシブ方式の動画像データの再生に対応していないが、そのプログレッシブ方式以外の方式の動画像データの再生に対応する従来型の再生装置は、プログレッシブ方式以外の方式の動画像データが格納されたフォルダにアクセスすればよい。特に、プログレッシブ方式以外の方式の動画像データが格納されたフォルダのフォルダ名を予め定められたルール上の名称と一致させておけば、従来型の再生装置は必ずそのフォルダを参照する。その一方で他方のフォルダにはアクセスはしない。これにより、再生に対応していない動画像を再生して映像のフリーズを防ぐことができる。
【図面の簡単な説明】
【００２３】
【図１】デジタルビデオカメラ１００の構成を示すブロック図である。
【図２】ＨＤＤ１８０又はメモリカード２００のフォルダ構成を説明するための模式図である。
【図３】解像度が１９２０×１０８０画素であって、６０（フレーム／秒）の動画撮影動作を説明するためのフローチャートである。
【図４】（ａ）〜（ｃ）は、再生装置で動画像ファイルを再生する際のユーザーインターフェースを示す模式図である。
【図５】実施形態２によるＢＤレコーダ５００の構成を示すブロック図である。
【図６】実施形態２にかかるＢＤレコーダ５００による動画記録動作を説明するためのフローチャートである。
【図７】実施形態３にかかるＢＤレコーダ５００による動画記録動作を説明するためのフローチャートである。
【図８】図７に示す処理によって記録された、ＡＶＣＨＤＥＸフォルダの詳細を示す図である。
【発明を実施するための形態】
【００２４】
以下、添付の図面を参照しながら、本発明による記録装置の実施形態を説明する。
【００２５】
〔１．実施形態１〕
〔１−１．概要〕
以下、本発明の実施形態として、デジタルビデオカメラを説明する。
【００２６】
図１は、デジタルビデオカメラ１００の構成を示すブロック図である。
【００２７】
本実施形態にかかるデジタルビデオカメラ１００は、プログレッシブ方式の動画像ファイルと、インターレース方式の動画像ファイルとを生成することができる。
【００２８】
本実施形態にかかるデジタルビデオカメラ１００は、再生装置が動画像ファイルを再生する際に、再生する動画像ファイルがプログレッシブ方式であるかインターレース方式であるかを認識できるように動画像ファイルを記憶媒体に記録する。ここでいう「再生装置」とは、従来型の再生装置を含む。
【００２９】
〔１−２．電気的構成〕
以下、図１を参照しながら、本実施形態にかかるデジタルビデオカメラ１００の電気的構成を説明する。
【００３０】
デジタルビデオカメラ１００は、１又は複数のレンズからなる光学系１１０により形成された被写体像をＣＣＤイメージセンサー１３０で撮像する。ＣＣＤイメージセンサー１３０で生成された画像信号は、ＡＤコンバータ１４０においてデジタルデータ（画像データ）に変換される。そして画像データは、画像処理部１５０で各種処理が施され、ハードディスクドライブ（ＨＤＤ）１８０又はメモリカード２００に格納される。以下、デジタルビデオカメラ１００の構成を詳細に説明する。
【００３１】
光学系１１０は、ズームレンズやフォーカスレンズを含んでいる。ズームレンズを光軸に沿って移動させることにより、被写体像の拡大、縮小をすることができる。また、フォーカスレンズを光軸に沿って移動させることにより、被写体像のピントを調整することができる。
【００３２】
レンズ駆動部１２０は、光学系１１０に含まれる各種レンズを駆動する。例えばレンズ駆動部１２０は、ズームレンズを駆動するズームモータや、フォーカスレンズを駆動するフォーカスモータを含む。
【００３３】
ＣＣＤイメージセンサー１３０は、光学系１１０で形成された被写体像を撮像して、画像信号を生成する。ＣＣＤイメージセンサー１３０は、露光、転送、電子シャッタなどの各種動作を行う。本実施形態においては、ＣＣＤイメージセンサー１３０はプログレッシブ方式の画像信号を出力する。
【００３４】
Ａ／Ｄコンバータ１４０は、ＣＣＤイメージセンサー１３０で生成されたアナログ画像信号をデジタル画像データに変換する。
【００３５】
画像処理部１５０は、ＣＣＤイメージセンサー１３０で生成された画像データに対して各種処理を施す。画像処理部１５０は、ＣＣＤイメージセンサー１３０で生成された画像データに所定の画像処理を施し、表示モニタ２２０に表示するための画像データを生成する。または画像処理部１５０は、ＨＤＤ１８０やメモリカード２００に格納するための画像データを生成する。例えば、画像処理部１５０は、ＣＣＤイメージセンサー１３０から出力された画像信号から生成された画像データに対してガンマ補正やホワイトバランス補正、傷補正などの各種処理を行う。
【００３６】
また、画像処理部１５０は、ＣＣＤイメージセンサー１３０で生成された画像データに基づいて、インターレース方式の動画像ファイル又はプログレッシブ方式の動画像ファイルを生成することができる。
【００３７】
なお、本実施形態にかかるデジタルビデオカメラ１００では、画像処理部１５０が、ＣＣＤイメージセンサー１３０で生成されたプログレッシブ方式の画像信号に基づいて、インターレース方式の動画像ファイル又はプログレッシブ方式の動画像ファイルを生成することとしたが、必ずしもこのようにする必要はない。例えば、ＣＣＤイメージセンサー１３０で撮像する際に読み出し方法などを制御することにより、インターレース方式若しくはプログレッシブ方式の画像信号を生成してもよい。また、画像処理部１５０は、ＣＣＤイメージセンサー１３０で生成された画像信号に基づく画像データに対して、ＭＰＥＧー４／ＡＶＣ規格（MPEG-4 Part10 Advanced Video Coding）に準拠した圧縮方式やＪＰＥＧ圧縮方式（Joint Photographic Expert Group）等により動画像データまたは画像データを圧縮する。画像処理部１５０は、ＤＳＰやマイコンなどで実現可能である。
【００３８】
コントローラー１６０は、デジタルビデオカメラ１００全体の動作を制御する。コントローラー１６０は、半導体素子などで実現可能である。コントローラー１６０は、ハードウェアのみで構成してもよいし、ハードウェアとソフトウェアとを組み合わせることにより実現してもよい。コントローラー１６０は、たとえばマイコンである。
【００３９】
バッファ１７０は、画像処理部１５０及びコントローラー１６０のワークメモリとして機能する。バッファ１７０は、例えば、ＤＲＡＭ、強誘電体メモリである。
【００４０】
ＨＤＤ１８０は、たとえば画像処理部１５０で生成された動画像データをハードディスクに記録する。本願明細書では、動画像データが記録媒体上に記録されたとき、その動画像データは記録媒体に構築されたファイルシステム上の動画像ファイルとして存在する。動画像ファイルの実体は動画像データである。
【００４１】
カードスロット１９０は、メモリカード２００を着脱可能である。カードスロット１９０は、機械的及び電気的にメモリカード２００と接続される。メモリカード２００は、フラッシュメモリや強誘電体メモリなどを内部に含み、画像処理部１５０で生成された動画像ファイル等のデータを格納可能である。上述のコントローラー１６０はカードスロット１９０を介して、動画像ファイルをメモリカード２００に書き込み、または、メモリカード２００に記録された動画像ファイルを読み出す。
【００４２】
操作部２１０は、使用者からの操作を受け付けるユーザーインターフェースの総称である。例えば操作部２１０は、使用者からの操作または指示を受け付ける十字キーや決定釦である。
【００４３】
表示モニタ２２０は、ＣＣＤイメージセンサー１３０で生成した画像データが示す画像や、ＨＤＤ１８０やメモリカード２００から読み出した画像データが示す画像を表示可能である。
【００４４】
ＩＥＥＥ１３９４端子２３０は、デジタルビデオカメラ１００と外部の機器との間でデジタルデータを送受信するために利用される。
【００４５】
マイク２６０は、音声を集める。マイク２６０により集められた音声は、ＨＤＤ１８０又はメモリカード２００に記録される。
【００４６】
スピーカ２７０は、ＨＤＤ１８０又はメモリカード２００に格納されている動画像ファイルに画像データと重畳して格納されている音声データを出力する。
【００４７】
ＢＤドライブ３００は、ＨＤＤ１８０若しくはメモリカード２００に記録された動画像ファイルの転送を受け付ける。動画像ファイルの転送を受け付けると、ＢＤドライブ３００は、動画像ファイルをＤＶＤメディアやＢＤメディアへ記録する。さらに、ＢＤドライブ３００は、ＤＶＤメディアやＢＤメディアに保存された動画像を読み出す。読み出された動画像は、表示モニタ２２０やスピーカ２７０を介して再生される。
【００４８】
上述の説明のとおり、デジタルビデオカメラ１００は、カードスロット１９０、ＢＤドライブ３００および／またはＩＥＥＥ１３９４端子２３０を利用して動画像ファイルを取得する。これらを総称して、取得部２４０と呼ぶこともある。
【００４９】
〔１−３．フォルダ構成〕
次に、図２を参照しながら、本実施形態にかかるデジタルビデオカメラ１００が動画像ファイルを記録するＨＤＤ１８０又はメモリカード２００のフォルダ構成を説明する。図２は、ＨＤＤ１８０又はメモリカード２００のフォルダ構成を説明するための模式図である。
【００５０】
ＨＤＤ１８０又はメモリカード２００のＲｏｏｔフォルダ(Root)の下の階層には、「ＤＣＩＭ」フォルダと、「ＰＲＩＶＡＴＥ」フォルダとが設けられている。なお、図２のフォルダ構成は一例である。後述するように、本実施形態においては「ＰＲＩＶＡＴＥ」フォルダに動画像ファイルが格納されるとしている。このフォルダ名は一例であり、他のフォルダ名が採用されてもよい。また、図２では「ＰＲＩＶＡＴＥ」フォルダの他に「ＤＣＩＭ」フォルダが設けられているが、「ＤＣＩＭ」フォルダが設けられているか否かは任意である。また他のフォルダが設けられていてもよい。
【００５１】
ＨＤＤ１８０又はメモリカード２００の「ＤＣＩＭ」フォルダの下の階層には、複数のフォルダが作成され得る。それぞれのフォルダは、ＪＰＥＧ規格の画像ファイル（ＪＰＥＧファイル）を格納する。
【００５２】
一方、ＨＤＤ１８０又はメモリカード２００の「ＰＲＩＶＡＴＥ」フォルダの下の階層には、「ＡＶＣＨＤ」フォルダと、「ＡＶＣＨＤＥＸ」フォルダとが設けられる。本実施形態において、「ＡＶＣＨＤ」フォルダはインターレース方式の動画像ファイルを格納し、「ＡＶＣＨＤＥＸ」フォルダはプログレッシブ方式の動画像ファイルを格納する。より具体的には、「ＡＶＣＨＤ」フォルダは、解像度が１９２０×１０８０画素であって、フレームレートが６０（フィールド／秒）（インターレース方式）である動画像ファイルを格納する。一方、「ＡＶＣＨＤＥＸ」フォルダは、解像度が１９２０×１０８０画素であって、フレームレートが６０（フレーム／秒）（プログレッシブ方式）である動画像ファイルを格納する。
【００５３】
このように、本実施形態にかかるデジタルビデオカメラ１００は、インターレース方式の動画像ファイルと、プログレッシブ方式の動画像ファイルとをＨＤＤ１８０又はメモリカード２００上の異なるフォルダに格納する。動画像ファイルの種類に応じて、動画像ファイルを格納するフォルダを変える理由は以下のとおりである。
【００５４】
いま、ＨＤＤ１８０又はメモリカード２００に記録した動画像ファイルをブルーレイディスクやＤＶＤに記録し、ＢＤレコーダやＤＶＤレコーダなどの再生装置で再生する例を考える。この再生装置は、解像度が１９２０×１０８０であって、６０（フレーム／秒）のプログレッシブ方式の動画像ファイルの再生に対応していないとする。
【００５５】
仮に、解像度が１９２０×１０８０画素であってインターレース方式の動画像ファイルと、解像度が１９２０×１０８０画素であって６０（フレーム／秒）のプログレッシブ方式の動画像ファイルとが同一のフォルダに格納されていたとする。そうすると、再生装置は、動画像ファイルを再生する際に、インターレース方式の動画像ファイルとプログレッシブ方式の動画像ファイルとが混在して格納されたフォルダを参照することにより、動画像ファイルの再生を行う。その結果、ＢＤレコーダやＤＶＤレコーダは、プログレッシブ方式の動画像ファイルについても、インターレース方式の動画像ファイルを再生する方法と同一の方法で再生することとなる。既に説明したとおり、インターレース方式の動画像ファイルを再生する方法でプログレッシブ方式の動画像ファイルを再生しても、再生装置からテレビ等の表示モニタに出力される動画像は滑らかではなく不自然である。このような滑らかでない動画像は、使用者にとって見づらい。また機器の故障と誤解させる可能性が高い。
【００５６】
一方、本実施形態にかかるデジタルビデオカメラ１００のように、インターレース方式の動画像ファイルと、プログレッシブ方式の動画像ファイルとをＨＤＤ１８０又はメモリカード２００上の異なるフォルダに格納すると、上述の再生装置が、インターレース方式の動画像ファイルを再生する方法でプログレッシブ方式の動画像ファイルを再生することはなくなる。その理由は、従来型の再生装置には、フォルダ「ＰＲＩＶＡＴＥ」直下の「ＡＶＣＨＤ」フォルダを参照するルールが、ＡＶＣＨＤ規格によって予め定められているためである。上述のとおり、「ＡＶＣＨＤ」フォルダにはインターレース方式の動画像ファイルのみが格納されている。
【００５７】
一方、プログレッシブ方式の動画像ファイルの再生に対応する再生装置には、プログレッシブ方式の動画像ファイルが「ＡＶＣＨＤＥＸ」フォルダに格納されているというルールを、規格として、または、再生装置のメーカー間の約束として定めておく。これにより、例えば、プログレッシブ方式の動画像ファイルの再生に対応していない再生装置は、「ＡＶＣＨＤＥＸ」フォルダを参照することはなく、インターレース方式の動画像ファイルが格納されているフォルダのみを参照し、インターレース方式の動画像ファイルのみを再生するようなことが可能となる。そして、プログレッシブ方式の動画像ファイルの再生に対応する再生装置は、インターレース方式の動画像ファイルが格納されているフォルダから動画像ファイルを再生するときはインターレース方式で再生し、プログレッシブ方式の動画像ファイルが格納されているフォルダから動画像ファイルを再生するときはプログレッシブ方式で再生することが可能となる。
【００５８】
〔１−４．動画撮影動作〕
次に、図３を参照しながら、本実施形態にかかるデジタルビデオカメラ１００による、動画像の撮影動作を説明する。図３は、解像度が１９２０×１０８０画素であって、６０（フレーム／秒）の動画撮影動作を説明するためのフローチャートである。
【００５９】
使用者は、操作部２１０の一部を構成するモード変更釦を操作することにより、デジタルビデオカメラ１００を動画撮影モードに設定することができる（ステップＳ１００）。動画撮影モードに設定されると、コントローラー１６０は、使用者により操作部２１０の一部を構成する動画撮影開始釦が操作されるまで待機する（ステップＳ１１０）。
【００６０】
使用者により動画撮影開始釦が操作されると、コントローラー１６０は、画像処理部１５０により生成された動画像ファイルが解像度が１９２０×１０８０画素であって、６０（フレーム／秒）のプログレッシブ方式の動画像ファイル（６０ｐ）であるか解像度が１９２０×１０８０画素であって、６０（フィールド／秒）のインターレース方式の動画像ファイル（６０ｉ）であるかを判定する（ステップＳ１２０）。６０ｐか６０ｉかは、たとえば使用者が予め設定した動画撮影条件に基づいて特定される。
【００６１】
プログレッシブ方式の動画像ファイルであると判断すると、コントローラー１６０は、ＨＤＤ１８０又はメモリカード２００上の「ＡＶＣＨＤＥＸ」フォルダへの動画像ファイルの記録を開始する（ステップＳ１３０）。
【００６２】
一方、インターレース方式の動画像ファイルであると判断すると、コントローラー１６０は、ＨＤＤ１８０又はメモリカード２００上の「ＡＶＣＨＤ」フォルダへの動画像ファイルの記録を開始する（ステップＳ１４０）。
【００６３】
〔１−５．再生装置による再生動作〕
次に、図４を参照しながら、再生装置による動画像ファイルの再生動作を説明する。図４（ａ）〜（ｃ）は、再生装置で動画像ファイルを再生する際のユーザーインターフェースを示す模式図である。図４（ａ）は６０ｐに対応しない再生装置（たとえば従来型の再生装置）で動画像ファイルを再生する際のユーザーインターフェースを示す。図４（ｂ）および（ｃ）は、６０ｐに対応する再生装置で動画像ファイルを再生する際のユーザーインターフェースを示す。
【００６４】
例えば、デジタルビデオカメラ１００が、プログレッシブ方式の動画像ファイルおよびインターレース方式の動画像ファイルの両方をＨＤＤ１８０若しくはメモリカード２００に記録し、その後、ＨＤＤ１８０若しくはメモリカード２００に記録された動画像ファイルがブルーレイディスク若しくはＤＶＤに記録された例を考える。なお、説明の簡単のため、以下ではブルーレイディスクと再生機能を有するＢＤレコーダの組み合わせを説明するが、ＤＶＤと再生機能を有するＤＶＤレコーダの組み合わせであってもよい。
【００６５】
このブルーレイディスクが、プログレッシブ方式の動画像ファイルの再生に対応していないＢＤレコーダに装填されたとする。ＢＤレコーダは、装填されたディスク内の「ＡＶＣＨＤ」フォルダのみを参照し、動画像ファイルの再生を行う。従って、ＢＤレコーダは、インターレース方式の動画像ファイルのみを再生することとなる。例えば、ＢＤレコーダは、図４（ａ）に示す画面を、接続されているテレビ等の表示モニタに出力することにより、使用者にインターレース方式の動画像ファイルのみが再生される旨を通知できる。使用者が図４（ａ）の画面に対して、操作部２１０のうちの決定釦の押下を行うと、コントローラー１６０は、「ＡＶＣＨＤ」フォルダ内の動画像ファイルの再生を開始する。
【００６６】
一方、上述のディスクが、プログレッシブ方式の動画像ファイルの再生に対応しているＢＤレコーダに装填されたとする。ＢＤレコーダは、装填されたディスク内の「ＡＶＣＨＤ」フォルダ若しくは「ＡＶＣＨＤＥＸ」フォルダ内に格納される動画像ファイルを再生することが可能である。例えば、ＢＤレコーダのコントローラー１６０は、図４（ｂ）に示す画面を、接続されているテレビ等の表示モニタに出力する。使用者がこの画面上の「撮影ビデオを見る（６０ｉ）」を選択すると、「ＡＶＣＨＤ」フォルダ内の全動画像ファイルを視聴できる。また「撮影ビデオを見る（６０ｐ）」を選択すると、「ＡＶＣＨＤＥＸ」フォルダ内の全動画像ファイルを視聴できる。すなわち、「ＡＶＣＨＤ」フォルダ単位、および、「ＡＶＣＨＤＥＸ」フォルダ単位で動画像ファイルが再生される。使用者は操作部２１０を介してプログレッシブ方式の動画像ファイルとインターレース方式の動画像ファイルとのいずれを再生するかを選択することができる。ＢＤレコーダのコントローラー１６０は、操作部２１０を介して使用者により選択された方の動画像ファイルが格納されているフォルダをＢＤドライブ３００に参照させて、そのフォルダに格納されている動画像ファイルを読み出させる。そしてコントローラー１６０は、取得した動画像ファイルを再生する。
【００６７】
また、図４（ｃ）に示すように、プログレッシブ方式の動画像ファイルの再生に対応しているＢＤレコーダは、６０ｉの動画像ファイルであるか６０ｐの動画像ファイルであるかにかかわらず、それらを区別することなく再生可能な動画像ファイルとして表示してもよい。
【００６８】
使用者が操作部２１０を介して「撮影ビデオを見る（６０ｉ／６０ｐ）」を選択すると、たとえばＢＤレコーダは、６０ｉの動画像ファイル、および、６０ｐの動画像ファイルを記録日時順に表示し、使用者が選択できるようにしてもよい。記録日時は動画像ファイルに付されているタイムスタンプを参照すればよい。
【００６９】
使用者が動画像ファイルの選択操作を行うと、その動画像ファイルが６０ｉであれば、ＢＤレコーダは「ＡＶＣＨＤ」フォルダを参照し、選択された動画像ファイルを再生する。選択された動画像ファイルが６０ｐであれば、ＢＤレコーダは「ＡＶＣＨＤＥＸ」フォルダを参照し、選択された動画像ファイルを再生する。
【００７０】
なお、本実施形態にかかるデジタルビデオカメラ１００は、一部のプログレッシブ方式の動画像ファイルについては、「ＡＶＣＨＤ」フォルダに記録する。具体的には、解像度が１９２０×１０８０画素であって、２４（フレーム／秒）のプログレッシブ方式の動画像ファイルである。このプログレッシブ方式の動画像ファイルは、ＢＤ規格に規定されており、多くのＢＤレコーダやＤＶＤレコーダで再生できるからである。
【００７１】
〔１−６．プログレッシブ方式未対応デジタルビデオカメラによる追記動作〕
次に、解像度が１９２０×１０８０画素であって、６０（フレーム／秒）のプログレッシブ方式の動画像の撮像に対応していないデジタルビデオカメラによる追記動作を説明する。なお、このデジタルビデオカメラは、解像度が１９２０×１０８０画素であって、６０（フレーム／秒）のインターレース方式の動画像の撮像には対応しているとする。
【００７２】
このデジタルビデオカメラは、上述のインターレース方式の動画像ファイルを生成すると、生成した動画像ファイルを「ＡＶＣＨＤ」フォルダに格納する。６０ｐの動画像の記録に対応していないため、動画像ファイルが記録されるフォルダは常に「ＡＶＣＨＤ」フォルダである。
【００７３】
ここで、デジタルビデオカメラ１００で記録したメモリカード２００を、解像度が１９２０×１０８０であって、６０（フレーム／秒）のプログレッシブ方式の動画像の撮像に対応していない、他のデジタルビデオカメラにセットした場合を考える。当該他のデジタルビデオカメラは、解像度が１９２０×１０８０画素であって、６０（フレーム／秒）のインターレース方式の動画像ファイルを生成すると、新たに生成した動画像ファイルをメモリカード２００上の「ＡＶＣＨＤ」フォルダに追加記録する。従って、このデジタルビデオカメラは、「ＡＣＶＨＤＥＸ」フォルダに一切変更を加えない。
【００７４】
また、この後、メモリカード２００をデジタルビデオカメラ１００に再度装填して記録を行ったとする。デジタルビデオカメラ１００は、インターレース方式の動画像を撮像した場合であっても、プログレッシブ方式の動画像を撮像した場合であっても、それぞれ「ＡＶＣＨＤ」フォルダおよび「ＡＶＣＨＤＥＸ」フォルダへの追加記録を問題なく実施できる。この様に従来型のデジタルビデオカメラと新型のデジタルビデオカメラの間で同じメモリカードを共用しても問題は一切発生しない。
【００７５】
なお、本実施形態にかかるデジタルビデオカメラ１００は、ハードディスク１８０やメモリカード２００を記録媒体として備える。しかしながら、必ずしもこのような構成とする必要はない。例えば、光ディスクメディア（ＤＶＤメディアやＢＤメディア等）や、内蔵型半導体メモリ（フラッシュメモリ等）を記録媒体として備えてもよい。
【００７６】
〔２．実施形態２〕
実施形態１では、本発明をデジタルビデオカメラに適用する例を説明した。本発明は、ＢＤレコーダやＤＶＤレコーダにも適用できる。本発明は、動画像ファイルを記録可能な記録装置に適用可能である。
【００７７】
以下、本発明の実施形態として、ＢＤレコーダを説明する。
【００７８】
図５は、本実施形態によるＢＤレコーダ５００の構成を示すブロック図である。
【００７９】
本実施形態にかかるＢＤレコーダ５００の構成は、実施形態１にかかるデジタルビデオカメラ１００の構成に類似する。ただし、ＢＤレコーダ５００には、デジタルビデオカメラ１００の光学系に関連する構成要素（たとえば光学系１１０、レンズ駆動部１２０、イメージセンサー１３０、ＡＤＣ１４０）、マイク１６０およびスピーカ２７０は含まれていない。一方、ＢＤレコーダ５００には、アンテナやケーブルからの信号を受け取るチューナ５１０が設けられている。なお、表示モニタ２２０は画像を表示するための機能ではなく、単にＢＤレコーダ５００の設定情報などを表示する機能を有するにとどまる。
【００８０】
以下では、ＢＤレコーダ５００の図１に示すデジタルビデオカメラ１００と同じ構成要素には同じ参照符号を付し、その説明は省略する。
【００８１】
実施形態１にかかるデジタルビデオカメラ１００は自らが動画像データを生成した。
【００８２】
本実施形態にかかるＢＤレコーダ５００は、ＢＤレコーダ５００のＩＥＥＥ１３９４端子２３０やＵＳＢ端子（図示せず）に接続されたデジタルビデオカメラもしくはメモリカード２００などから、撮影済みの動画像データを取得する。そして、本実施形態にかかるＢＤレコーダ５００は、取得した動画像データがインターレース方式の動画像データであるかプログレッシブ方式の動画像データであるかを識別する。その識別結果に応じて、ＢＤレコーダ５００は、動画像データをＨＤＤ１８０やＢＤドライブ３００に装填されたブルーレイディスクなどの他の記録媒体の特定のフォルダにダビングする。
【００８３】
以下の説明では、デジタルビデオカメラから、カードスロット１９０を介してメモリカード２００に動画像ファイルをダビングする例を説明する。ただしこれは一例である。ダビングされる動画像ファイルはブルーレイディスク上に格納されていてもよいし、内蔵ＨＤＤ１８０上に格納されていてもよい。また、ダビング先の記録媒体も任意である。
【００８４】
図６は、本実施形態にかかるＢＤレコーダ５００による動画記録動作を説明するためのフローチャートである。
【００８５】
使用者は、操作部２１０の一部を構成するモード変更釦を操作することにより、ＢＤレコーダ５００をダビングモードに設定することができる（ステップＳ２００）。ダビングモードに設定されると、ＢＤレコーダ５００のコントローラー１６０は、使用者により操作部の一部を構成するダビング開始釦が操作されるまで待機する（ステップＳ２１０）。
【００８６】
使用者によりダビング開始釦が操作されると、コントローラー１６０は、動画像ファイルがプログレッシブ方式の動画像ファイル（６０ｐ）であるか、それ以外（６０ｐ以外）の方式の動画像ファイルであるかを判定する（ステップＳ２２０）。「６０ｐ以外」とは、たとえばインターレース方式、または、実施形態１で説明した２４（フレーム／秒）のプログレッシブ方式の動画像ファイルである。
【００８７】
より詳しく説明する。コントローラー１６０は、動画像ファイルに付随して設けられる管理情報に基づいて動画像ファイルのフォーマット（６０ｐかそれ以外か）を判定する。管理情報は動画像ファイルとは別の管理情報ファイルとしてデジタルビデオカメラ内の記録媒体もしくはメモリカード２００上に存在していてもよいし、動画像ファイルのたとえば先頭のメタデータとして存在していてもよい。管理情報には、その動画像ファイルが、たとえば６０フレーム／秒のプログレッシブ方式であることを示す情報が含まれている。なお、管理情報にはフレームレートおよびプログレッシブ方式またはインターレース方式のいずれかを示す情報が含まれていればよい。
【００８８】
なお、このときの動画像ファイルの解像度は全て同じであってもよく、１９２０×１０８０画素であってもよい。
【００８９】
プログレッシブ方式の動画像ファイルであると判断すると、コントローラー１６０は、デジタルビデオカメラに蓄積されている動画像ファイルを、装着されているメモリカード２００上の「ＡＶＣＨＤＥＸ」フォルダに記録する（Ｓ２３０）。一方、インターレース方式の動画像ファイルであると判断すると、コントローラー１６０は、デジタルビデオカメラに蓄積されている動画像ファイルを、装着されているメモリカード２００上の「ＡＶＣＨＤ」フォルダに記録する（ステップＳ２４０）。
【００９０】
なお、実施形態１と実施形態２における「ＡＶＣＨＤ」フォルダと「ＡＶＣＨＤＥＸ」フォルダの下に配置されるファイル群は、それぞれ同一形式であることが望ましい。両フォルダの再生動作をほとんど変える必要がないからである。
【００９１】
〔３．実施形態３〕
実施形態１および２においては、プログレッシブ方式の動画像ファイル（６０ｐ）と６０ｐ以外の動画像ファイル（たとえばインターレース方式の動画像ファイル、２４（フレーム／秒）のプログレッシブ方式の動画像ファイル）とを異なるフォルダに記録することとした。
【００９２】
しかしながらこれは一例である。これまでサポートされてきた画像フォーマットのデータと、今後規格化等によってサポートが追加される画像フォーマットのデータとを、異なるフォルダに記録してもよい。今後サポートが追加される画像フォーマットとして、プログレッシブ方式の画像のほかには、たとえば３Ｄ（Dimension）方式、１２０フレーム／秒などの高速撮影方式、４Ｋ×２Ｋ画像によるスーパーハイビジョン方式が挙げられる。
【００９３】
以下、より具体的に説明する。なお、本実施形態においては、実施形態２で説明したＢＤレコーダ５００を援用して説明する。特に言及する点以外は、実施形態１または実施形態２において説明した内容と同じである。
【００９４】
本実施形態においては、コントローラー１６０は、これまでサポートされてきた少なくとも１つの動画像フォーマットを示す情報が記述されたフォーマットテーブルを予め保持している。表１は、フォーマットテーブルの一例を示す。
【００９５】
【表１】
2011071970.tif 000003
【００９６】
たとえば１行目の「４８０ｉ  （６０ｉ）」は、縦方向の画素数が４８０で、６０（フィールド／秒）のインターレース方式の動画像であることを示している。また、５行目の「１０８０ｐ  （２４ｐ）」は、縦方向の画素数が１０８０で、２４（フレーム／秒）のプログレッシブ方式の動画像であることを示している。表１のフォーマットテーブルは、たとえばＢＤレコーダ５００の出荷時にコントローラー１６０の不揮発性の内部メモリに書き込まれているとする。
【００９７】
図７は、本実施形態にかかるＢＤレコーダ５００による動画記録動作を説明するためのフローチャートである。図７では、図６のステップＳ２２０に代えて、ステップＳ３００が設けられている。他は同じであるため、説明は省略する。
【００９８】
ステップＳ３００において、コントローラー１６０は、動画像ファイルに付随して設けられる管理情報に基づいて動画像ファイルのフォーマットを識別する。そしてコントローラー１６０は、動画像ファイルのフォーマットがフォーマットテーブルに記載されているか否かを判定する。
【００９９】
動画像ファイルのフォーマットがテーブルに記載されているフォーマットには含まれない場合、すなわち、動画像ファイルのフォーマットがこれまでサポートされてきたフォーマットでない場合には、処理はステップＳ２３０に進む。たとえば動画像ファイルのフォーマットが６０ｐ、３Ｄ形式または４Ｋ２Ｋ形式のときは、処理はステップＳ２３０に進む。
【０１００】
ステップＳ２３０において、コントローラー１６０は、デジタルビデオカメラに蓄積されている動画像ファイルを、装着されているメモリカード２００上の「ＡＶＣＨＤＥＸ」フォルダに記録する（ステップＳ２３０）。
【０１０１】
一方、動画像ファイルのフォーマットがテーブルに記載されているフォーマットに含まれている場合、すなわち、動画像ファイルのフォーマットがこれまでサポートされてきたフォーマットである場合には、処理はステップＳ２４０に進む。ステップＳ２４０において、コントローラー１６０は、デジタルビデオカメラに蓄積されている動画像ファイルを、装着されているメモリカード２００上の「ＡＶＣＨＤ」フォルダに記録する（ステップＳ２４０）。
【０１０２】
上述の処理によれば、これまでサポートされてきた画像フォーマットのファイルと、今後規格化等によってサポートが追加される画像フォーマットのファイルとが、異なるフォルダに記録される。よって、従来型の再生装置が誤って再生を行うことを防止できる。なお、従来型の再生装置には、フォルダ「ＰＲＩＶＡＴＥ」直下の「ＡＶＣＨＤ」フォルダを参照するルールが、ＡＶＣＨＤ規格によって予め定められているとする。
【０１０３】
図８は、本実施形態の図７に示す処理によって記録された、ＡＶＣＨＤＥＸフォルダの詳細を示している。たとえば、動画像ファイルは、図８の下位の「ＳＴＲＥＡＭ」フォルダに格納される（たとえば０００００．ｍｔｓ、００００１．ｍｔｓ）。そして「ＰＬＡＹＬＩＳＴ」フォルダには、６０ｐ用のプレイリスト（ＰＬ）「０００００．ＭＰＬ」、３Ｄ用のプレイリスト（ＰＬ）「００００１．ＭＰＬ」、４ｋ２ｋ用のプレイリスト（ＰＬ）「００００２．ＭＰＬ」が示されている。このプレイリストによって、その動画像ファイルの再生方法、再生順序等が規定される。
【０１０４】
図８中のバージョン番号（Ｖｅｒ．  ２．０〜２．２）は、対応するＡＶＣＨＤ規格のバージョンの番号を示している。バージョン番号が各プレイリストに付されているため、再生装置はバージョン番号を参照することにより、自装置が対応可能なバージョン番号のプレイリストのみを再生できる。例えば、３Ｄのデータの再生に対応しているが、４Ｋ２Ｋのデータの再生には対応していない再生装置を想定する。この再生装置は、３Ｄのデータに対応付けられているバージョン番号を参照して、自装置がそのバージョンに対応することを認識できる。一方、この再生装置は、４Ｋ２Ｋのデータに対応付けられているバージョン番号を参照した際、自装置がそのバージョンに対応していないことを認識できる。その結果、再生装置は、自らが対応可能なバージョンのデータのみを再生することとなる。換言すると、この再生装置は、自らが適切に再生できるデータのみを再生することとなる。このように、規格を拡張するごとにバージョン番号を付し、データの種類毎にバージョン番号を付すことにより、今後、新たな規格の拡張があったとしても、その規格に対応した新たなフォルダを設けなくても再生装置毎に適切なファイルを再生するようにすることができる。
【０１０５】
なお、本実施形態においては、各プレイリストに対してバージョン番号を付することとした。しかしながら、必ずしもこのような構成である必要はない。３Ｄデータや４Ｋ２Ｋ等のデータの属性を識別できる識別子であればよい。また、バージョン番号や識別子はプレイリストファイルに付されている必要はなく、他のファイルに付されていてもよい。
【０１０６】
また、ＡＶＣＨＤフォルダのみを参照する従来の再生装置には、プレイリストに対応付けて付されたバージョン番号を一切参照しないものもある。
【０１０７】
なお、本実施形態１から実施形態３においては、インターレース方式の動画像ファイルとプログレッシブ方式の動画像ファイルとを異なるフォルダに記録することとした。しかしながら、必ずしもこのような構成である必要はない。それぞれの動画像ファイルを、たとえばファイルの拡張子を相違させることによって識別できれば、インターレース方式の動画像ファイルとプログレッシブ方式の動画像ファイルとを同一のフォルダ内に格納してもよい。たとえば、インターレース方式の動画像ファイルの拡張子をＭＴＳとし、プログレッシブ方式の動画像ファイルの拡張子を６０ｐもしくはＥＴＳとする。このとき、インターレース方式の動画像ファイルの再生のみに対応する再生装置は、拡張子６０ｐもしくはＥＴＳの動画像ファイルを認識できない。このように構成することにより、格納するフォルダを相違させなくても誤って再生することを防止できる。
【０１０８】
ただしこの場合であっても、インターレース方式の動画像ファイルと、プログレッシブ方式の動画像ファイルとの間で、両方の画像ファイルを対象とした撮影時刻順などの管理情報は一切記録しないものとする。つまり、双方の動画像ファイルは互いに参照関係を持たないものとする。このとき、たとえば動画像データが複数の管理ファイルと動画像ストリームファイルから構成される場合は、複数の管理ファイルと動画像ストリームファイルの両方を、必要に応じてファイル名称、および／またはファイルの拡張子等を変えるなどして、同じフォルダ内に併存させることになる。
【０１０９】
上述の各実施形態に関連する図３、図６、図７のフローチャートに記載された処理は、主としてコントローラー１６０によって実行されるとして説明した。コントローラー１６０は、予め上述のフローチャートに示す処理がプログラムされたデジタル信号プロセッサ（ＤＳＰ）のような１つの半導体チップまたはＩＣによって実現することも可能であるし、たとえばコンピュータとソフトウェア（コンピュータプログラム）とを用いて実現することもできる。このコンピュータプログラムには、図３、図６、図７に示す各フローチャートに記載された手順を実行させるための命令が記述されている。コンピュータプログラムを実行したコンピュータは、図３、図６、図７に示す各フローチャートに記載された処理を実行する。コンピュータプログラムは、ＣＤ−ＲＯＭ等の記録媒体に記録されて製品として市場に流通され、または、インターネット等の電気通信回線を通じて伝送され得る。
【産業上の利用可能性】
【０１１０】
本発明は、デジタルスチルカメラ、デジタルビデオカメラ、ＢＤレコーダやＤＶＤレコーダのような記録装置に適用可能である。また、プログレッシブ方式の動画像およびインターレース方式の動画像の両方を再生可能な再生装置に適用可能である。さらに本発明は、上述の記録装置および再生装置を動作させるためのコンピュータプログラムとしても実現され得る。
【符号の説明】
【０１１１】
１００    デジタルビデオカメラ
１１０    光学系
１２０    レンズ駆動部
１３０    ＣＣＤイメージセンサー
１４０    Ａ／Ｄコンバータ
１５０    画像処理部
１６０    コントローラー
１７０    バッファ
１８０    ハードディスクドライブ（ＨＤＤ）
１９０    カードスロット
２００    メモリカード
２１０    操作部
２２０    表示モニタ
２３０    ＩＥＥＥ１３９４端子
２４０    取得部
２６０    マイク
２７０    スピーカ
３００    ＢＤドライブ
【図１】
2011071970.tif 000004
【図２】
2011071970.tif 000005
【図３】
2011071970.tif 000006
【図４】
2011071970.tif 000007
【図５】
2011071970.tif 000008
【図６】
2011071970.tif 000009
【図７】
2011071970.tif 000010
【図８】
2011071970.tif 000011